(57)【要約】【課題】  コアの鍔部と電極との間にガタつきが生じるのを抑制することが可能なコイル部品を提供すること。【解決手段】  第２の側面は第１及び第２の平面１７ａ，１７ｂを含む。第２の平面１７ｂは、巻芯部の軸心方向に見て第１の平面１７ａよりも巻芯部側に位置し且つ巻芯部の軸心方向に直交する方向に見て第１の平面１７ａよりも他方の第２の側面側に位置する。凹部２０は、第１の平面１７ａと第２の平面１７ｂとの境界段差を跨ぐように設けられている。第１の電極４１の第２の部分４４，４５には、第２の側面に設けられた凹部２０に対応する位置に凸部４８，４９が設けられている。第１の電極４１は、凸部４８，４９が対応する凹部２０に入った状態で第２の部分４４，４５により第２の側面を狭持することにより、鍔部に設けられる。【選択図】  図５
2006108453.tif 000002
【特許請求の範囲】
【請求項１】
巻芯部と、当該巻芯部の軸方向の両端に位置する一対の鍔部とを有するコアと、
前記巻芯部に巻回された巻線と、
前記巻線に電気的に接続されると共に前記鍔部に設けられた板状の電極と、を備え、
前記一対の鍔部は、前記巻芯部の前記軸心方向に直交する第１の側面と、当該第１の側面に交差する方向に伸びると共に互いに対向する一対の第２の側面と、をそれぞれ有し、
前記一対の第２の側面うち少なくとも一方の第２の側面は、第１の平面と、前記巻芯部の前記軸心方向に見て前記第１の平面よりも前記巻芯部側に位置し且つ前記巻芯部の前記軸心方向に直交する方向に見て前記第１の平面よりも他方の第２の側面側に位置する第２の平面と、を含み、
前記少なくとも一方の第２の側面には、前記第１の平面と前記第２の平面との境界段差を跨ぐように凹部が設けられており、
前記電極は、前記第１の側面に対峙する第１の部分と、当該第１の部分の各端部から伸びると共に前記第２の側面にそれぞれ対峙する一対の第２の部分とを有し、
前記少なくとも一方の第２の側面に対峙する第２の部分には、前記凹部に対応する位置に凸部が設けられており、
前記電極は、前記凸部が前記凹部に入った状態で前記一対の第２の部分により前記一対の第２の側面を狭持することにより、前記鍔部に設けられていることを特徴とするコイル部品。
【請求項２】
前記少なくとも一方の第２の側面の前記第１の平面には、当該第１の平面の前記第１の側面側の端から前記凹部にわたるように、溝部が設けられており、
前記溝部の深さは、前記凹部の深さよりも浅く設定されていることを特徴とする請求項１に記載のコイル部品。
【請求項３】
前記少なくとも一方の第２の側面の前記第１の平面には、当該第１の平面の前記第１の側面側の端から前記凹部にわたるように、溝部が設けられており、
前記溝部の開口端の幅は、前記凹部の開口端の幅よりも小さく設定されていることを特徴とする請求項１に記載のコイル部品。
【請求項４】
前記第１の部分と、前記少なくとも一方の第２の側面に対峙する第２の部分とが成す角度は、鋭角であることを特徴とする請求項１に記載のコイル部品。
【請求項５】
前記一対の第２の側面は、前記第１の平面と前記第２の平面とをそれぞれ含み、
前記凹部は、前記一対の第２の側面にそれぞれ設けられ、
前記凸部は、前記一対の第２の部分にそれぞれ設けられており、
前記電極は、前記凸部が前記凹部にそれぞれ入った状態で前記一対の第２の部分により前記一対の第２の側面を狭持することにより、前記鍔部に設けられていることを特徴とする請求項１に記載のコイル部品。
【請求項６】
前記一対の第２の側面の前記第１の平面には、当該第１の平面の前記第１の側面側の端から前記凹部にわたるように、溝部がそれぞれ設けられており、
前記各溝部の深さは、前記各凹部の深さよりも浅く設定されていることを特徴とする請求項５に記載のコイル部品。
【請求項７】
前記一対の第２の側面の前記第１の平面には、当該第１の平面の前記第１の側面側の端から前記凹部にわたるように、溝部がそれぞれ設けられており、
前記各溝部の開口端の幅は、前記各凹部の開口端の幅よりも小さく設定されていることを特徴とする請求項５に記載のコイル部品。
【請求項８】
前記第１の部分と、前記一対の第２の部分とがそれぞれ成す角度は、いずれも鋭角であることを特徴とする請求項５に記載のコイル部品。
【発明の詳細な説明】
【技術分野】
【０００１】
本発明は、コイル部品に関する。
【背景技術】
【０００２】
この種のコイル部品として、巻芯部と当該巻芯部の軸方向の両端に位置する一対の鍔部とを有するコア、いわゆるドラムコアと、巻芯部に巻回された巻線と、巻線に電気的に接続されると共に鍔部に設けられた電極と、を備えたものが知られている（例えば、特許文献１、特に図１７参照）。特許文献１に記載されたコイル部品には、Ｕ−Ｔ形、Ｅ−Ｉ形又はＩ−Ｕ形の２つのコアの組み合わせからなる磁性コアと、一方のコアの上面から実装面（底面）に亙って嵌着された板状の電極とを備えたコイル部品も開示されている。
【特許文献１】特開２００３−２２９１６号公報
【発明の開示】
【発明が解決しようとする課題】
【０００３】
本発明者らは、種々のコイル部品の中でも、上述したドラムコアに板状の電極を設けた構成を有するコイル部品に着目して研究開発を進めたところ、以下の問題点を見出すに至った。板状の電極はコアの鍔部に設けられることとなるが、電極と鍔部との間に、わずかではあるがガタが生じる。電極と鍔部の間にガタが生じた場合、電極が鍔部から外れてしまう懼れがある。
【０００４】
本発明は、コアの鍔部と電極との間にガタつきが生じるのを抑制することが可能なコイル部品を提供することを課題とする。
【課題を解決するための手段】
【０００５】
本発明に係るコイル部品は、巻芯部と、当該巻芯部の軸方向の両端に位置する一対の鍔部とを有するコアと、巻芯部に巻回された巻線と、巻線に電気的に接続されると共に鍔部に設けられた板状の電極と、を備え、一対の鍔部は、巻芯部の軸心方向に直交する第１の側面と、当該第１の側面に交差する方向に伸びると共に互いに対向する一対の第２の側面と、をそれぞれ有し、一対の第２の側面うち少なくとも一方の第２の側面は、第１の平面と、巻芯部の軸心方向に見て第１の平面よりも巻芯部側に位置し且つ巻芯部の軸心方向に直交する方向に見て第１の平面よりも他方の第２の側面側に位置する第２の平面と、を含み、少なくとも一方の第２の側面には、第１の平面と第２の平面との境界段差を跨ぐように凹部が設けられており、電極は、第１の側面に対峙する第１の部分と、当該第１の部分の各端部から伸びると共に第２の側面にそれぞれ対峙する一対の第２の部分とを有し、少なくとも一方の第２の側面に対峙する第２の部分には、凹部に対応する位置に凸部が設けられており、電極は、凸部が凹部に入った状態で一対の第２の部分により一対の第２の側面を狭持することにより、鍔部に設けられていることを特徴とする。
【０００６】
本発明に係るコイル部品では、電極は、上述したように、凸部が凹部に入った状態で一対の第２の部分により一対の第２の側面を狭持することにより、鍔部に設けられる。特に、少なくとも一方の第２の側面は第１の平面と第２の平面とを含むと共に、凹部が第１の平面と第２の平面との境界段差を跨ぐように設けられているので、上記少なくとも一方の第２の側面と当該第２の側面に対峙する電極の第２の部分とが干渉するのが抑制されることとなる。この結果、鍔部と電極との間にガタつきが生じるのを抑制することができる。
【０００７】
また、少なくとも一方の第２の側面の第１の平面には、当該第１の平面の第１の側面側の端から凹部にわたるように、溝部が設けられており、溝部の深さは、凹部の深さよりも浅く設定されていることが好ましい。この場合、溝部が凸部を凹部まで導く案内溝として機能することとなり、電極を鍔部に容易に装着することができる。また、凹部は溝部よりも深いため、凹部の底面と溝部の底面とで段差部が形成されることとなる。この段差部と電極の凸部とが干渉することにより、装着された電極が外れてしまうのを防ぐことができる。
【０００８】
また、少なくとも一方の第２の側面の第１の平面には、当該第１の平面の第１の側面側の端から凹部にわたるように、溝部が設けられており、溝部の開口端の幅は、凹部の開口端の幅よりも小さく設定されていることが好ましい。この場合、溝部が凸部を凹部まで導く案内溝として機能することとなり、電極を鍔部に容易に装着することができる。また、溝部の開口端の幅は、凹部の開口端の幅よりも小さいため、凹部の開口端と溝部の開口端とで角部が形成されることとなる。この角部と電極の凸部とが干渉することにより、装着された電極が外れてしまうのを防ぐことができる。
【０００９】
また、第１の部分と、少なくとも一方の第２の側面に対峙する第２の部分とが成す角度は、鋭角であることが好ましい。この場合、一対の第２の部分が一対の第２の側面を狭持する力が大きくなり、ガタつきが生じるのをより一層抑制することができる。また、装着された電極が外れてしまうのを防ぐことができる。なお、上述したように、上記少なくとも一方の第２の側面は第１の平面と第２の平面とを含むので、第１の部分と上記少なくとも一方の第２の側面に対峙する第２の部分とが成す角度が鋭角である場合でも、上記少なくとも一方の第２の側面と当該第２の側面に対峙する電極の第２の部分との干渉は抑制される。
【００１０】
また、一対の第２の側面は、第１の平面と第２の平面とをそれぞれ含み、凹部は、一対の第２の側面にそれぞれ設けられ、凸部は、一対の第２の部分にそれぞれ設けられており、電極は、凸部が凹部にそれぞれ入った状態で一対の第２の部分により一対の第２の側面を狭持することにより、鍔部に設けられていることが好ましい。この場合、凹部は一対の第２の側面にそれぞれ設けられ、凸部は一対の第２の部分にそれぞれ設けられているので、装着された電極が外れてしまうのを確実に防ぐことができる。なお、上述したように、一対の第２の側面は第１の平面と第２の平面とをそれぞれ含むので、各第２の側面と当該各第２の側面に対峙する電極の各第２の部分との干渉は抑制される。
【００１１】
また、一対の第２の側面の第１の平面には、当該第１の平面の第１の側面側の端から凹部にわたるように、溝部がそれぞれ設けられており、各溝部の深さは、各凹部の深さよりも浅く設定されていることが好ましい。この場合、各溝部が凸部を凹部まで導く案内溝として機能することとなり、電極を鍔部に容易に装着することができる。また、各凹部は各溝部よりも深いため、各凹部の底面と各溝部の底面とで段差部が形成されることとなる。各段差部と電極の各凸部とが干渉することにより、装着された電極が外れてしまうのを確実に防ぐことができる。
【００１２】
また、一対の第２の側面の第１の平面には、当該第１の平面の第１の側面側の端から凹部にわたるように、溝部がそれぞれ設けられており、各溝部の開口端の幅は、各凹部の開口端の幅よりも小さく設定されていることが好ましい。この場合、各溝部が凸部を凹部まで導く案内溝として機能することとなり、電極を鍔部に容易に装着することができる。また、各溝部の開口端の幅は、各凹部の開口端の幅よりも小さいため、各凹部の開口端と各溝部の開口端とで角部が形成されることとなる。各角部と各電極の凸部とが干渉することにより、装着された電極が外れてしまうのを確実に防ぐことができる。
【００１３】
また、第１の部分と、一対の第２の部分とがそれぞれ成す角度は、いずれも鋭角であることが好ましい。この場合、一対の第２の部分が一対の第２の側面を狭持する力が大きくなり、ガタつきが生じるのをより一層抑制することができる。また、装着された電極が外れてしまうのを防ぐことができる。なお、上述したように、各第２の側面は第１の平面と第２の平面とをそれぞれ含むので、第１の部分と各第２の側面に対峙する第２の部分とが成す角度が鋭角である場合でも、各一方の第２の側面と当該第２の側面対峙する電極の各第２の部分との干渉は抑制される。
【発明の効果】
【００１４】
本発明によれば、コアの鍔部と電極との間にガタつきが生じるのを抑制することが可能なコイル部品を提供することができる。
【発明を実施するための最良の形態】
【００１５】
以下、添付図面を参照して、本発明の好適な実施形態について詳細に説明する。なお、説明において、同一要素又は同一機能を有する要素には、同一符号を用いることとし、重複する説明は省略する。本実施形態は、本発明をコモンモードフィルタに適用した例である。
【００１６】
図１〜図６に基づいて、本実施形態に係るコモンモードフィルタ１の構成を説明する。図１は、本実施形態に係るコモンモードフィルタを示す斜視図である。図２及び図３は、本実施形態に係るコモンモードフィルタに含まれるコアを示す斜視図である。図４は、本実施形態に係るコモンモードフィルタに含まれる電極を示す斜視図である。図５及び図６は、本実施形態に係るコモンモードフィルタに含まれるコアの鍔部周辺の断面図である。
【００１７】
コモンモードフィルタ１は、図１に示されるように、コア１０と、巻線３０と、電極４０とを備えている。
【００１８】
コア１０は、図２及び図３にも示されるように、巻芯部１２と、当該巻芯部１２の軸方向の両端に形成された一対の鍔部１３とを有している。コア１０は、いわゆるドラムコアである。コア１０は、磁性体（例えば、フェライト等）又は非磁性体（例えば、セラミック等）からなる。巻芯部１２は、四角柱形状を呈している。各鍔部１３は、直方体形状を呈している。巻芯部１２と鍔部１３とは、一体的に形成されている。コア１０は、その巻芯部１２の軸心方向に平行な断面での形状がＨ字状を呈している。以下、鍔部１３については、それぞれが略同一形状であるため、特に明記しない限り、片側のみで説明し、図２及び図３に示すように、巻芯部１２の長手方向をＸ軸方向、巻芯部１２の幅方向をＹ軸方向、Ｘ軸方向及びＹ軸方向に直交する方向をＺ軸方向と定義して説明する。
【００１９】
各鍔部１３は、巻芯部１２に連結する第１の部分１４と、当該第１の部分１４よりＹ軸方向に延出されている第２の部分１５と、第２の部分１５の反対方向に延出されている第２の部分１６と、を有している。これら第１の部分１４と第２の部分１５とは、巻芯部１２の軸芯を通るＺＸ平面に対して面対称な構成になっている。
【００２０】
第１の部分１４は、Ｚ軸方向が長手方向であり且つＹ軸方向が幅方向であって、巻芯部１２と略同一の幅である略直方体形状を呈している。第１の部分１４は、一対の第１の側面１４ａ，１４ｂと、一対の第２の側面１４ｃ，１４ｄと、一対の第３の側面１４ｅ，１４ｆと、を有している。第１の側面１４ａ，１４ｂ同士は、Ｘ軸方向で見て互いに対向するように位置している。第２の側面１４ｃ，１４ｄ同士は、Ｚ軸方向で見て互いに対向し、且つ、各第１の側面１４ａ，１４ｂに交差する方向（本実施形態においては、直交する方向）に伸びるように位置している。第３の側面１４ｅ，１４ｆ同士は、Ｙ軸方向で見て互いに対向し、且つ、各第１の側面１４ａ，１４ｂ及び各第２の側面１４ｃ，１４ｄに交差する方向（本実施形態においては、直交する方向）に伸びるように位置している。各第１の側面１４ａ，１４ｂは巻芯部１２の軸心方向に直交することとなる。第１の側面１４ｂには、巻芯部１２が連結されることとなる。
【００２１】
第２の部分１５は、第１の部分１４の第３の側面１４ｅからＹ軸方向に伸び、Ｚ軸方向が長手方向である略直方体形状を呈している。第２の部分１５は、一対の第１の側面１５ａ，１５ｂと、一対の第２の側面１５ｃ，１５ｄと、第３の側面１５ｅと、を有している。第１の側面１５ａ，１５ｂ同士は、Ｘ軸方向で見て互いに対向するように位置している。第２の側面１５ｃ，１５ｄ同士は、Ｚ軸方向で見て互いに対向し、且つ、各第１の側面１５ａ，１５ｂに交差する方向に伸びるように位置している。第３の側面１５ｅは、各第１の側面１５ａ，１５ｂ及び各第２の側面１５ｃ，１５ｄに交差する方向に伸びるように位置している。各第１の側面１５ａ，１５ｂは巻芯部１２の軸心方向に直交することとなる。第１の部分１４の第２の側面１４ｃ及び第３の側面１４ｅと、第２の部分１５の第２の側面１５ｃとで、段差が形成されており、第２の部分１５の第２の側面１５ｃは第１の部分１４の第２の側面１４ｃよりも低い位置にある。
【００２２】
第２の側面１５ｃ，１５ｄは、第１〜第３の平面１７ａ〜１７ｃを含んでいる。第２の側面１６ｃ，１６ｄは、第１〜第３の平面１８ａ〜１８ｃを含んでいる。
【００２３】
第２の側面１５ｃに含まれる第２の平面１７ｂは、巻芯部１２の軸心方向（Ｘ軸方向）に見て第１の平面１７ａよりも巻芯部１２（第１の側面１５ｂ）側に位置し且つ巻芯部１２の軸心方向（Ｘ軸方向）に直交する方向（Ｚ軸方向）に見て第１の平面１７ａよりも他方の第２の側面１５ｄ側に位置している。第２の側面１５ｃは、第１の平面１７ａから第２の平面１７ｂにわたって、段下がり形状を呈することとなる。第２の側面１５ｃに含まれる第３の平面１７ｃは、巻芯部１２の軸心方向に見て第１の平面１７ａよりも第１の側面１５ａ側に位置し且つ巻芯部１２の軸心方向に直交する方向に見て第１の平面１７ａよりも他方の第２の側面１５ｄ側に位置している。
【００２４】
第２の側面１５ｄに含まれる第２の平面１７ｂは、巻芯部１２の軸心方向（Ｘ軸方向）に見て第１の平面１７ａよりも巻芯部１２（第１の側面１５ｂ）側に位置し且つ巻芯部１２の軸心方向（Ｘ軸方向）に直交する方向（Ｚ軸方向）に見て第１の平面１７ａよりも他方の第２の側面１５ｃ側に位置している。第２の側面１５ｄは、第１の平面１７ａから第２の平面１７ｂにわたって、段下がり形状を呈することとなる。第２の側面１５ｄに含まれる第３の平面１７ｃは、巻芯部１２の軸心方向に見て第１の平面１７ａよりも第１の側面１５ａ側に位置し且つ巻芯部１２の軸心方向に直交する方向に見て第１の平面１７ａよりも他方の第２の側面１５ｃ側に位置している。第２の側面１５ｄに含まれる第２の平面１７ｂは、第１の部分１４の第２の側面１４ｄと同一平面上に位置する。
【００２５】
第１〜第３の平面１７ａ〜１７ｃは、第１の側面１５ａ側から第１の側面１５ｂ側に向かって、第３の平面１７ｃ、第１の平面１７ａ、第２の平面１７ｂの順に位置している。第１の平面１７ａと第２の平面１７ｂとの間には傾斜面１７ｄが位置しており、第１の平面１７ａ、傾斜面１７ｄ及び第２の平面１７ｂとで段差が形成されている。第１の平面１７ａと第３の平面１７ｃとの間には、傾斜面１７ｅが位置しており、第１の平面１７ａ、傾斜面１７ｅ及び第３の平面１７ｃとで段差が形成されている。
【００２６】
第２の側面１５ｃ，１５ｄには、第１の平面１７ａと第２の平面１７ｂとの境界段差を跨ぐように凹部２０が設けられている。凹部２０の開口端は、第１の平面１７ａにおけるＸ軸方向での途中位置から、傾斜面１７ｄ及び第２の平面１７ｂにわたって伸びており、第２の平面１７ｂの第１の側面１５ｂ側の端まで至っている。凹部２０は、第２の側面１５ｃ，１５ｄにおけるＹ軸方向での略中央に位置している。
【００２７】
第１の平面１７ａには、当該第１の平面１７ａの第１の側面１５ａ側の端から凹部２０にわたるように、溝部２１が設けられている。溝部２１の深さは、凹部２０の深さよりも浅く設定されている。また、溝部２１の開口端の幅（Ｙ軸方向での長さ）は、凹部２０の開口端の幅（Ｙ軸方向での長さ）よりも小さく設定されている。
【００２８】
第２の部分１６は、第１の部分１４の第３の側面１４ｆからＹ軸方向に伸び、Ｚ軸方向が長手方向である略直方体形状を呈している。第２の部分１６は、一対の第１の側面１６ａ，１６ｂと、一対の第２の側面１６ｃ，１６ｄと、第３の側面１６ｅと、を有している。第１の側面１６ａ，１６ｂ同士は、Ｘ軸方向で見て互いに対向するように位置している。第２の側面１６ｃ，１６ｄ同士は、Ｚ軸方向で見て互いに対向し、且つ、各第１の側面１６ａ，１６ｂに交差する方向に伸びるように位置している。第３の側面１６ｅは、各第１の側面１６ａ，１６ｂ及び各第２の側面１６ｃ，１６ｄに交差する方向に伸びるように位置している。各第１の側面１６ａ，１６ｂは巻芯部１２の軸心方向に直交することとなる。第１の部分１４の第２の側面１４ｃ及び第３の側面１４ｆと、第２の部分１６の第２の側面１６ｃとで、段差が形成されており、第２の部分１６の第２の側面１６ｃは第１の部分１４の第２の側面１４ｃよりも低い位置にある。
【００２９】
第２の側面１６ｃに含まれる第２の平面１８ｂは、巻芯部１２の軸心方向（Ｘ軸方向）に見て第１の平面１７ａよりも巻芯部１２（第１の側面１６ｂ）側に位置し且つ巻芯部１２の軸心方向（Ｘ軸方向）に直交する方向（Ｚ軸方向）に見て第１の平面１８ａよりも他方の第２の側面１６ｄ側に位置している。第２の側面１６ｃは、第１の平面１８ａから第２の平面１８ｂにわたって、段下がり形状を呈することとなる。第２の側面１６ｃに含まれる第３の平面１８ｃは、巻芯部１２の軸心方向に見て第１の平面１８ａよりも第１の側面１６ａ側に位置し且つ巻芯部１２の軸心方向に直交する方向に見て第１の平面１８ａよりも他方の第２の側面１６ｄ側に位置している。
【００３０】
第２の側面１６ｄに含まれる第２の平面１８ｂは、巻芯部１２の軸心方向（Ｘ軸方向）に見て第１の平面１８ａよりも巻芯部１２（第１の側面１６ｂ）側に位置し且つ巻芯部１２の軸心方向（Ｘ軸方向）に直交する方向（Ｚ軸方向）に見て第１の平面１８ａよりも他方の第２の側面１６ｃ側に位置している。第２の側面１６ｄは、第１の平面１８ａから第２の平面１８ｂにわたって、段下がり形状を呈することとなる。第２の側面１６ｄに含まれる第３の平面１８ｃは、巻芯部１２の軸心方向に見て第１の平面１８ａよりも第１の側面１６ａ側に位置し且つ巻芯部１２の軸心方向に直交する方向に見て第１の平面１８ａよりも他方の第２の側面１６ｃ側に位置している。第２の側面１６ｄに含まれる第２の平面１８ｂは、第１の部分１４の第２の側面１４ｄと同一平面上に位置する。
【００３１】
第１〜第３の平面１８ａ〜１８ｃは、第１の側面１６ａ側から第１の側面１６ｂ側に向かって、第３の平面１８ｃ、第１の平面１８ａ、第２の平面１８ｂの順に位置している。第１の平面１８ａと第２の平面１８ｂとの間には傾斜面１８ｄが位置しており、第１の平面１８ａ、傾斜面１８ｄ及び第２の平面１８ｂとで段差が形成されている。第１の平面１８ａと第３の平面１８ｃとの間には、傾斜面１８ｅが位置しており、第１の平面１８ａ、傾斜面１８ｅ及び第３の平面１８ｃとで段差が形成されている。
【００３２】
第２の側面１６ｃ，１６ｄには、第１の平面１８ａと第２の平面１８ｂとの境界段差を跨ぐように凹部２２が設けられている。凹部２２の開口端は、第１の平面１８ａにおけるＸ軸方向での途中位置から、傾斜面１８ｄ及び第２の平面１８ｂにわたって伸びており、第２の平面１８ｂの第１の側面１６ｂ側の端まで至っている。凹部２２は、第２の側面１６ｃ，１６ｄにおけるＹ軸方向での略中央に位置している。
【００３３】
第１の平面１８ａには、当該第１の平面１８ａの第１の側面１６ａ側の端から凹部２２にわたるように、溝部２３が設けられている。溝部２３の深さは、凹部２２の深さよりも浅く設定されている。また、溝部２３の開口端の幅（Ｙ軸方向での長さ）は、凹部２２の開口端の幅（Ｙ軸方向での長さ）よりも小さく設定されている。
【００３４】
巻線３０は、２本の導体線３１を含んでいる。２本の導体線３１は、巻芯部１２に巻回されている。２本の導体線３１は、互いに電気的に絶縁されると共に、互いに磁気結合する。各導体線３１として、例えば、絶縁被膜銅線を用いることができる。
【００３５】
電極４０は、第１の電極４１，４２と、第２の電極５１，５２とを含んでいる。第１の電極４１，４２は、鍔部１３の第２の部分１５にそれぞれ装着されている。第２の電極５１，５２は、鍔部１３の第２の部分１６にそれぞれ装着されている。第１の電極４１及び第２の電極５１には、一方の導体線３１が電気的に接続されている。第１の電極４２及び第２の電極５２には、他方の導体線３１が電気的に接続されている。
【００３６】
第１の電極４１，４２は、図４にも示されるように、第１の部分４３と、当該第１の部分４３の各端部から伸びる一対の第２の部分４４，４５と、第２の部分４４から伸びる第３及び第４の部分４６，４７を有している。第１の部分４３と、一対の第２の部分４４，４５と、第３及び第４の部分４６，４７とは、金属板を折り曲げ加工することにより形成される。第１の部分４３は、鍔部１３の第２の部分１５の第１の側面１５ａに対峙する。第２の部分４４は、鍔部１３の第２の部分１５の第２の側面１５ｃに対峙する。第２の部分４５は、鍔部１３の第２の部分１５の第２の側面１５ｄに対峙する。一対の第２の部分４４，４５のそれぞれの先端部は、巻芯部１２方向に折り曲げられている。
【００３７】
第２の部分４４には、凸部４８が第２の側面１５ｃに設けられた凹部２０に対応する位置に設けられている。凸部４８は、第２の部分４５に向かって突出している。第２の部分４５には、凸部４９が第２の側面１５ｄに設けられた凹部２０に対応する位置に設けられている。凸部４９は、第２の部分４４に向かって突出している。
【００３８】
第３及び第４の部分４６，４７は導体線３１を継線するためのものであり、第２の部分４４とで導体線３１を挟持する。第３及び第４の部分４６，４７は、第２の部分４４におけるＹ軸方向での一方の端部から伸びている。第３の部分４６は、導体線３１を仮固定するための係止片であり、図４にて示された状態から曲げられることにより、第２の部分４４とで導体線３１を挟持する。第４の部分４７は、溶接（例えば、レーザー溶接やアーク溶接等）により主に溶融状態とされるための係止片であり、図４にて示された状態から曲げられることにより、第２の部分４４とで導体線３１を挟持する。図１では、図示を省略するが、第３及び第４の部分４６，４７と第２の部分４４とで導体線３１を挟持した状態で溶接を行うことにより、第１の電極４１と導体線３１とが機械的及び電気的に接続される。図４に示されるように、曲げられる前の状態では、第３の部分４６と第２の部分４４とが成す角度は略４５°であり、第４の部分４７と第２の部分４４とが成す角度は略９０°である。
【００３９】
図４に示されるように、第１の電極４１，４２が鍔部１３に装着されていない状態で、第１の部分４３と、一対の第２の部分４４，４５とがそれぞれ成す角度は、いずれも鋭角（例えば、８６°程度）である。また、第１の電極４１，４２が鍔部１３に装着されていない状態で、第１の部分４３のＺ軸方向の長さは第１の側面１５ａのＺ軸方向の長さよりも僅かに大きく、一対の第２の部分４４，４５の端部のＺ軸方向での間隔は、第１の側面１５ａのＺ軸方向の長さよりも僅かに小さい。
【００４０】
第１の電極４１，４２は、図５にも示されるように、凸部４８，４９が凹部２０に入った状態で一対の第２の部分４４，４５により一対の第２の側面１５ｃ，１５ｄを狭持することにより、鍔部１３の第２の部分１５に設けられる。第１の電極４１，４２を鍔部１３の第２の部分１５にそれぞれ装着する場合、第１の電極４１，４２は、一対の第２の部分４４，４５の間隔が広げられながら、第２の部分１５の第１の側面１５ａ側から第２の部分１５に外挿される。このとき、凸部４８，４９は、第２の側面１５ｃ，１５ｄに設けられた溝部２１に係合し、第１の電極４１，４２の導入方向を規定する。
【００４１】
第２の電極５１，５２は、図４にも示されるように、第１の部分５３と、当該第１の部分５３の各端部から伸びる一対の第２の部分５４，５５と、第２の部分５４から伸びる第３及び第４の部分５６，５７を有している。第１の部分５３と、一対の第２の部分５４，５５と、第３及び第４の部分５６，５７とは、金属板を折り曲げ加工することにより形成される。第１の部分５３は、鍔部１３の第２の部分１６の第１の側面１６ａに対峙する。第２の部分５４は、鍔部１３の第２の部分１６の第２の側面１６ｃに対峙する。第２の部分５５は、鍔部１３の第２の部分１６の第２の側面１６ｄに対峙する。一対の第２の部分５４，５５のそれぞれの先端部は、巻芯部１２方向に折り曲げられている。
【００４２】
第２の部分５４には、凸部５８が第２の側面１６ｃに設けられた凹部２２に対応する位置に設けられている。凸部５８は、第２の部分５５に向かって突出している。第２の部分５５には、凸部５９が第２の側面１６ｄに設けられた凹部２２に対応する位置に設けられている。凸部５９は、第２の部分５４に向かって突出している。
【００４３】
第３及び第４の部分５６，５７は導体線３１を継線するためのものであり、第２の部分５４とで導体線３１を挟持する。第３及び第４の部分５６，５７は、第２の部分５４におけるＹ軸方向での他方の端から伸びている。第３の部分５６は、導体線３１を仮固定するための係止片であり、図４にて示された状態から曲げられることにより、第２の部分５４とで導体線３１を挟持する。第４の部分５７は、溶接（例えば、レーザー溶接やアーク溶接等）により主に溶融状態とされるための係止片であり、図４にて示された状態から曲げられることにより、第２の部分５４とで導体線３１を挟持する。図１では、図示を省略するが、第３及び第４の部分５６，５７と第２の部分５４とで導体線３１を挟持した状態で溶接を行うことにより、第１の電極５１と導体線３１とが機械的及び電気的に接続される。図４に示されるように、曲げられる前の状態では、第３の部分５６と第２の部分５４とが成す角度は略４５°であり、第４の部分５７と第２の部分５４とが成す角度は略９０°である。
【００４４】
図４に示されるように、第１の電極５１，５２が鍔部１３に装着されていない状態で、第１の部分５３と、一対の第２の部分５４，５５とがそれぞれ成す角度は、いずれも鋭角（例えば、８６°程度）である。また、第１の電極５１，５２が鍔部１３に装着されていない状態で、第１の部分５３のＺ軸方向の長さは第１の側面１６ａのＺ軸方向の長さよりも僅かに大きく、一対の第２の部分５４，５５の端部のＺ軸方向での間隔は、第１の側面１６ａのＺ軸方向の長さよりも僅かに小さい。
【００４５】
第１の電極５１，５２は、図６にも示されるように、凸部５８，５９が凹部２２に入った状態で一対の第２の部分５４，５５により一対の第２の側面１６ｃ，１６ｄを狭持することにより、鍔部１３の第２の部分１６に設けられる。第１の電極５１，５２を鍔部１３の第２の部分１６にそれぞれ装着する場合、第１の電極５１，５２は、一対の第２の部分５４，５５の間隔が広げられながら、第２の部分１６の第１の側面１６ａ側から第２の部分１６に外挿される。このとき、凸部５８，５９は、第２の側面１６ｃ，１６ｄに設けられた溝部２３に係合し、第１の電極５１，５２の導入方向を規定する。
【００４６】
以上のように、本実施形態においては、電極４０（第１の電極４１，４２及び第２の電極５１，５２）は、各凸部４８，４９，５８，５９が対応する凹部２０，２２に入った状態で各第２の部分４４，４５，５４，５５により第２の側面１５ｃ，１５ｄ，１６ｃ，１６ｄをそれぞれ狭持することにより、鍔部１３の第２の部分１５，１６に設けられる。特に、鍔部１３の各第２の側面１５ｃ，１５ｄ，１６ｃ，１６ｄは第１の平面１７ａ，１８ａと第２の平面１７ｂ，１８ｂとを含むと共に、凹部２０，２２が第１の平面１７ａ，１８ａと第２の平面１７ｂ，１８ｂとの境界段差を跨ぐように設けられているので、各第２の側面１５ｃ，１５ｄ，１６ｃ，１６ｄと当該各第２の側面１５ｃ，１５ｄ，１６ｃ，１６ｄに対峙する電極４１，４２，５１，５２の各第２の部分４４，４５，５４，５５とが干渉するのが抑制されることとなる。この結果、鍔部１３と各電極４１，４２，５１，５２との間にガタつきが生じるのを抑制することができる。
【００４７】
また、本実施形態においては、第２の側面１５ｃ，１６ｃが有する第１の平面１７ａ，１８ａには、当該第１の平面１７ａ，１８ａの第１の側面１５ａ，１６ａ側の端から凹部２０，２２にわたるように、溝部２１，２３が設けられており、溝部２１，２３の深さは、凹部２０，２２の深さよりも浅く設定されている。これにより、溝部２１，２３が各凸部４８，４９，５８，５９を凹部２０，２２まで導く案内溝として機能することとなり、電極４０を鍔部１３に容易に装着することができる。また、凹部２０，２２は溝部２１，２３よりも深いため、凹部２０，２２の底面と溝部２１，２３の底面とで段差部が形成されることとなる。この段差部と電極４０の各凸部４８，４９，５８，５９とが干渉することにより、装着された各電極４１，４２，５１，５２が外れてしまうのを防ぐことができる。
【００４８】
また、本実施形態において、溝部２１，２３の開口端の幅は、凹部２０，２２の開口端の幅よりも小さく設定されている。この場合、溝部２１，２３の開口端の幅は、凹部２０，２２の開口端の幅よりも小さいため、凹部２０，２２の開口端と溝部２１，２３の開口端とで角部が形成されることとなる。この角部と電極４０の各凸部４８，４９，５８，５９とが干渉することにより、装着された各電極４１，４２，５１，５２が外れてしまうのをより一層確実に防ぐことができる。
【００４９】
また、本実施形態において、電極４０が鍔部１３に装着されていない状態で、各電極４１，４２，５１，５２の第１の部分４３，５３と、各第２の部分４４，４５，５４，５５とが成す角度は、いずれも鋭角である。これにより、各第２の部分４４，４５，５４，５５が対応する第２の側面１５ｃ，１５ｄ，１６ｃ，１６ｄを狭持する力が大きくなり、ガタつきが生じるのをより一層抑制することができる。また、装着された各電極４１，４２，５１，５２が外れてしまうのを防ぐことができる。なお、第２の側面１５ｃ，１５ｄに含まれる第２の平面１７ｂ，１８ｂは、巻芯部１２の軸心方向（Ｘ軸方向）に直交する方向（Ｚ軸方向）に見て第１の平面１７ａ，１８ａよりも他方の第２の側面１５ｄ，１５ｃ側に位置しているので、各電極４１，４２，５１，５２の第１の部分４３，５３と各第２の部分４４，４５，５４，５５とが成す角度が鋭角である場合でも、各第２の側面１５ｃ，１５ｄ，１６ｃ，１６ｄと当該各第２の側面１５ｃ，１５ｄ，１６ｃ，１６ｄに対峙する電極４１，４２，５１，５２の各第２の部分４４，４５，５４，５５とが干渉するのが抑制されることとなる。
【００５０】
次に、図７〜図１１に基づいて、本実施形態に係るコモンモードフィルタの一変形例について説明する。図７及び図８は、本実施形態に係るコモンモードフィルタの一変形例に含まれるコアを示す斜視図である。図９は、本実施形態に係るコモンモードフィルタの一変形例に含まれる電極を示す斜視図である。図１０及び図１１は、本実施形態に係るコモンモードフィルタの一変形例に含まれるコアの鍔部周辺の断面図である。
【００５１】
図７〜図１１に示された変形例に係るコモンモードフィルタは、鍔部１３の形状等の点で上述したコモンモードフィルタ１と相違する。変形例に係るコモンモードフィルタのコア６０は、図７及び図８に示されるように、巻芯部１２と、一対の鍔部１３とを有している。各鍔部１３は、巻芯部１２に連結する第１の部分１４と、第２の部分１５，１６とを有している。
【００５２】
第２の部分１５は、一対の第１の側面１５ａ，１５ｂと、一対の第２の側面１５ｃ，１５ｄと、第３の側面１５ｅと、を有している。第１の側面１５ｂは、第１の部分１４の第１の側面１４ｂと略同一平面上に位置する。第２の側面１５ｃ，１５ｄは、第１〜第３の平面１７ａ〜１７ｃと、傾斜面１７ｄ，１７ｅとを含んでいる。第２の側面１５ｃ，１５ｄには、第１の平面１７ａと第２の平面１７ｂとの境界段差を跨ぐように凹部２０が設けられている。凹部２０の開口端は、第１の平面１７ａにおけるＸ軸方向での途中位置から、傾斜面１７ｄ及び第２の平面１７ｂに伸びており、第２の平面１７ｂにおけるＸ軸方向での途中位置まで至っている。
【００５３】
第２の部分１６は、一対の第１の側面１６ａ，１６ｂと、一対の第２の側面１６ｃ，１６ｄと、第３の側面１６ｅと、を有している。第１の側面１６ｂは、第１の部分１４の第１の側面１４ｂと略同一平面上に位置する。第２の側面１６ｃ，１６ｄは、第１〜第３の平面１８ａ〜１８ｃと、傾斜面１８ｄ，１８ｅとを含んでいる。第２の側面１６ｃ，１６ｄには、第１の平面１８ａと第２の平面１８ｂとの境界段差を跨ぐように凹部２２が設けられている。凹部２２の開口端は、第１の平面１８ａにおけるＸ軸方向での途中位置から、傾斜面１８ｄ及び第２の平面１８ｂに伸びており、第２の平面１８ｂにおけるＸ軸方向での途中位置まで至っている。
【００５４】
第１の電極４１，４２は、鍔部１３の第２の部分１５にそれぞれ装着されている。第１の電極４１，４２は、図９にも示されるように、第１の部分４３と、一対の第２の部分４４，４５と、第３及び第４の部分４６，４７を有している。第２の電極５１，５２は、鍔部１３の第２の部分１６にそれぞれ装着されている。第２の電極５１，５２は、第１の部分５３と、一対の第２の部分５４，５５と、第３及び第４の部分５６，５７を有している。各第２の部分４４，４５，５４，５５の先端部は、図１０及び図１１にも示されるように、巻芯部１２方向に折り曲げられることなく伸びている。
【００５５】
続いて、図１２〜図１６に基づいて、本実施形態に係るコモンモードフィルタの一変形例について説明する。図１２及び図１３は、本実施形態に係るコモンモードフィルタの一変形例に含まれるコアを示す斜視図である。図１４は、本実施形態に係るコモンモードフィルタの一変形例に含まれる電極を示す斜視図である。図１５及び図１６は、本実施形態に係るコモンモードフィルタの一変形例に含まれるコアの鍔部周辺の断面図である。
【００５６】
図１２〜図１６に示された変形例に係るコモンモードフィルタは、鍔部１３の形状等の点で上述したコモンモードフィルタ１と相違する。変形例に係るコモンモードフィルタのコア７０は、図１２及び図１３に示されるように、巻芯部１２と、一対の鍔部１３とを有している。各鍔部１３は、巻芯部１２に連結する第１の部分１４と、第２の部分１５，１６とを有している。
【００５７】
第２の部分１５は、一対の第１の側面１５ａ，１５ｂと、一対の第２の側面１５ｃ，１５ｄと、第３の側面１５ｅと、を有している。第１の側面１５ｂは、第１の部分１４の第１の側面１４ｂと略同一平面上に位置する。第２の側面１５ｃ，１５ｄは、第１〜第３の平面１７ａ〜１７ｃと、第４の平面７７ａと、傾斜面１７ｄ，１７ｅと、傾斜面７７ｂとを含んでいる。第２の側面１５ｃ，１５ｄには、第１の平面１７ａと第２の平面１７ｂとの境界段差を跨ぐように凹部２０が設けられている。凹部２０の開口端は、第１の平面１７ａにおけるＸ軸方向での途中位置から、傾斜面１７ｄ及び第２の平面１７ｂに伸びており、第２の平面１７ｂにおけるＸ軸方向での端近傍まで至っている。
【００５８】
第２の側面１５ｃに含まれる第４の平面７７ａは、巻芯部１２の軸心方向（Ｘ軸方向）に見て第２の平面１７ｂよりも巻芯部１２（第１の側面１５ｂ）側に位置し且つ巻芯部１２の軸心方向（Ｘ軸方向）に直交する方向（Ｚ軸方向）に見て第２の平面１７ｂよりも他方の第２の側面１５ｄ側に位置している。第２の平面１７ｂと第４の平面７７ａとの間には傾斜面７７ｂが位置している。第２の側面１５ｃは、第２の平面１７ｂから第４の平面７７ａにわたって、段下がり形状を呈することとなる。
【００５９】
第２の部分１６は、一対の第１の側面１６ａ，１６ｂと、一対の第２の側面１６ｃ，１６ｄと、第３の側面１６ｅと、を有している。第１の側面１６ｂは、第１の部分１４の第１の側面１４ｂと略同一平面上に位置する。第２の側面１６ｃ，１６ｄは、第１〜第３の平面１８ａ〜１８ｃと、第４の平面７８ａと、傾斜面１８ｄ，１８ｅと、傾斜面７８ｂとを含んでいる。第２の側面１６ｃ，１６ｄには、第１の平面１８ａと第２の平面１８ｂとの境界段差を跨ぐように凹部２２が設けられている。凹部２２の開口端は、第１の平面１８ａにおけるＸ軸方向での途中位置から、傾斜面１８ｄ及び第２の平面１８ｂに伸びており、第２の平面１８ｂにおけるＸ軸方向での端近傍まで至っている。
【００６０】
第２の側面１６ｃに含まれる第４の平面７８ａは、巻芯部１２の軸心方向（Ｘ軸方向）に見て第２の平面１８ｂよりも巻芯部１２（第１の側面１６ｂ）側に位置し且つ巻芯部１２の軸心方向（Ｘ軸方向）に直交する方向（Ｚ軸方向）に見て第２の平面１８ｂよりも他方の第２の側面１６ｄ側に位置している。第２の平面１８ｂと第４の平面７８ａとの間には傾斜面７８ｂが位置している。第２の側面１６ｃは、第２の平面１８ｂから第４の平面７８ａにわたって、段下がり形状を呈することとなる。
【００６１】
第１の電極４１，４２は、鍔部１３の第２の部分１５にそれぞれ装着されている。第１の電極４１，４２は、図１４にも示されるように、第１の部分４３と、一対の第２の部分４４，４５と、第３及び第４の部分４６，４７を有している。第２の電極５１，５２は、鍔部１３の第２の部分１６にそれぞれ装着されている。第２の電極５１，５２は、第１の部分５３と、一対の第２の部分５４，５５と、第３及び第４の部分５６，５７を有している。各第２の部分４４，４５，５４，５５の先端部は、図１５及び図１６にも示されるように、傾斜面７７ｂに沿うように折り曲げられている。
【００６２】
以上のように、いずれの変形例においても、上述した本実施形態と同様に、鍔部１３の各第２の側面１５ｃ，１５ｄ，１６ｃ，１６ｄは第１の平面１７ａ，１８ａと第２の平面１７ｂ，１８ｂとを含むと共に、凹部２０，２２が第１の平面１７ａ，１８ａと第２の平面１７ｂ，１８ｂとの境界段差を跨ぐように設けられているので、各第２の側面１５ｃ，１５ｄ，１６ｃ，１６ｄと当該各第２の側面１５ｃ，１５ｄ，１６ｃ，１６ｄに対峙する電極４１，４２，５１，５２の各第２の部分４４，４５，５４，５５とが干渉するのが抑制されることとなる。この結果、鍔部１３と各電極４１，４２，５１，５２との間にガタつきが生じるのを抑制することができる。
【００６３】
以上、本発明の好適な実施形態について説明してきたが、本発明は必ずしもこれらの実施形態に限定されるものではない。本実施形態では、本発明をコモンモードフィルタ１に適用しているが、これに限られることなく、コモンモードフィルタ以外のコイル部品（例えば、巻線３０が１本あるいは３本以上有するインダクタ部品等）に本発明を適用してもよい。
【００６４】
本実施形態においては、一対の第２の側面１５ｃ及び１６ｃ，１５ｄ及び１６ｄのそれぞれに凹部２０，２２を設けると共に、一対の第２の部分４４及び５４，４５及び５５のそれぞれに凸部４８及び５８，４９及び５９を設けているが、これに限られない。例えば、一対の第２の側面１５ｃ及び１６ｃ，１５ｄ及び１６ｄのうちいずれか一方にのみ凹部を設けると共に、一対の第２の部分４４及び５４，４５及び５５のうちいずれか一方にのみ凸部を設けてもよい。
【００６５】
また、コモンモードフィルタ１は、当該コモンモードフィルタ１の上面を平坦面として、自動装着機の吸着ノズルで吸着可能にするために、板状コアを備えていてもよい。板状コアの代わりに、セラミック製の板や樹脂製の板を備えていてもよく、コモンモードフィルタ１を樹脂モールドしてもよい。
【図面の簡単な説明】
【００６６】
【図１】本実施形態に係るコモンモードフィルタを示す斜視図である。
【図２】本実施形態に係るコモンモードフィルタに含まれるコアを示す斜視図である。
【図３】本実施形態に係るコモンモードフィルタに含まれるコアを示す斜視図である。
【図４】本実施形態に係るコモンモードフィルタに含まれる電極を示す斜視図である。
【図５】本実施形態に係るコモンモードフィルタに含まれるコアの鍔部周辺の断面図である。
【図６】本実施形態に係るコモンモードフィルタに含まれるコアの鍔部周辺の断面図である。
【図７】本実施形態に係るコモンモードフィルタの一変形例に含まれるコアを示す斜視図である。
【図８】本実施形態に係るコモンモードフィルタの一変形例に含まれるコアを示す斜視図である。
【図９】本実施形態に係るコモンモードフィルタの一変形例に含まれる電極を示す斜視図である。
【図１０】本実施形態に係るコモンモードフィルタの一変形例に含まれるコアの鍔部周辺の断面図である。
【図１１】本実施形態に係るコモンモードフィルタの一変形例に含まれるコアの鍔部周辺の断面図である。
【図１２】本実施形態に係るコモンモードフィルタの一変形例に含まれるコアを示す斜視図である。
【図１３】本実施形態に係るコモンモードフィルタの一変形例に含まれるコアを示す斜視図である。
【図１４】本実施形態に係るコモンモードフィルタの一変形例に含まれる電極を示す斜視図である。
【図１５】本実施形態に係るコモンモードフィルタの一変形例に含まれるコアの鍔部周辺の断面図である。
【図１６】本実施形態に係るコモンモードフィルタの一変形例に含まれるコアの鍔部周辺の断面図である。
【符号の説明】
【００６７】
１…コモンモードフィルタ、１０，６０，７０…コア、１２…巻芯部、１３…鍔部、１４…第１の部分、１５…第２の部分、１５ａ，１５ｂ…第１の側面、１５ｃ，１５ｄ…第２の側面、１６…第２の部分、１６ａ，１６ｂ…第１の側面、１６ｃ，１６ｄ…第２の側面、１７ａ，１８ａ…第１の平面、１７ｂ，１８ｂ…第２の平面、２０，２２…凹部、２１，２３…溝部、３０…巻線、３１…導体線、４０…電極、４１，４２…第１の電極、４３…第１の部分、４４，４５…第２の部分、４８，４９…凸部、５１，５２…第２の電極、５３…第１の部分、５４，５５…第２の部分、５８，５９…凸部。
【図１】
2006108453.tif 000003
【図２】
2006108453.tif 000004
【図３】
2006108453.tif 000005
【図４】
2006108453.tif 000006
【図５】
2006108453.tif 000007
【図６】
2006108453.tif 000008
【図７】
2006108453.tif 000009
【図８】
2006108453.tif 000010
【図９】
2006108453.tif 000011
【図１０】
2006108453.tif 000012
【図１１】
2006108453.tif 000013
【図１２】
2006108453.tif 000014
【図１３】
2006108453.tif 000015
【図１４】
2006108453.tif 000016
【図１５】
2006108453.tif 000017
【図１６】
2006108453.tif 000018